(57)【要約】【課題】間違ったＦＡＸ番号等のデータ列の入力を防止して誤送信等を防止できる通信端末装置を提供すること。【解決手段】ファクシミリ装置１は、相手先ＦＡＸ番号の数字列の入力を受け付け（ＳＴ１）、その後、当該ＦＡＸ番号の数字列を末尾から逆順に配列した数字列の入力を指示し（ＳＴ２）、この逆順に配列した数字列の入力を受け付ける（ＳＴ３）。そして、先に入力されたＦＡＸ番号の数字列と後に入力された数字列とを照合する（ＳＴ５）。この照合の結果、後に入力された数字列の配列が、先に入力されたＦＡＸ番号の数字列を末尾から逆順に配列したものに正確に一致すれば、ファクシミリ送信動作を許可し（ＳＴ６）、一致しない場合はファクシミリ送信動作を不許可とする（ＳＴ７）。【選択図】図２
2007235438.tif 000002
【特許請求の範囲】
【請求項１】
所定の送信操作により送信データを送信するデータ送信機能を備えた通信端末装置において、
前記送信操作により入力された第１のデータ列とこの第１のデータ列に続けて入力された第２のデータ列とを照合するデータ列照合手段と、前記データ列照合手段による照合で、第２のデータ列が第１のデータ列をその末尾から逆順に配列したものに一致すると判断した場合に、前記第１のデータ列の情報に基づく前記送信データの送信動作を許可する送信動作許可手段と、を備えたことを特徴とする通信端末装置。
【請求項２】
請求項１に記載の通信端末装置において、
前記第１のデータ列は相手先ＦＡＸ番号又は電話番号の数字列であり、前記第２のデータ列は、前記第１のデータ列の相手先ＦＡＸ番号又は電話番号の数字列をその末尾から逆順に配列した数字列であり、
前記データ列照合手段は、送信動作開始の指示が入力された場合に、前記第１のデータ列と第２のデータ列の照合を行い、
前記送信動作許可手段は、前記データ列照合手段による照合で、第２のデータ列が第１のデータ列をその末尾から逆順に配列したものに一致すると判断した場合に、前記相手先ＦＡＸ番号へのファクシミリ送信動作又は前記相手先電話番号へのダイヤル動作を許可することを特徴とする通信端末装置。
【請求項３】
請求項１又は２に記載の通信端末装置において、
前記送信操作により入力されたデータを登録するデータ登録手段を備え、
前記データ列照合手段による照合で、第２のデータ列が第１のデータ列をその末尾から逆順に配列したものに一致すると判断した場合に、前記データ登録手段における前記第１のデータ列の情報の登録動作を許可する登録動作許可手段を備えたことを特徴とする通信端末装置。
【発明の詳細な説明】
【技術分野】
【０００１】
本発明は、通信端末装置に関し、特に、間違ったＦＡＸ番号等のデータ列の入力を防止して誤送信などを防止できる通信端末装置に関するものである。
【背景技術】
【０００２】
従来のファクシミリ装置等の通信端末装置では、テンキーなどの入力キーを操作することで相手先ＦＡＸ番号を入力して、当該相手先ＦＡＸ番号宛てに原稿データの送信を行なうようになっている。そしてこの種のファクシミリ装置には、例えば特許文献１に示すように、相手先ＦＡＸ番号を二回続けて入力することを要求し、一回目と二回目の入力番号が一致しなければ原稿データの送信ができない誤送信防止機能を備えることで、間違った相手先ＦＡＸ番号が入力されることを防止して、原稿データの誤送信を防ぐものがある。
【特許文献１】特開平２−２０００５８号公報
【発明の開示】
【発明が解決しようとする課題】
【０００３】
しかしながら、上記の誤送信防止機能では、同じ番号を二回続けて入力する操作を何度も繰り返していると、二回とも誤った番号を入力してしまうおそれがあった。特に、同じ番号を二回続けて入力する操作では、二回目の入力の際に、番号が記載された資料等を確認せずに一回目に入力した番号のうろ覚えで入力を行ないがちなため、間違った番号を二回続けて入力し易い。ところが、上記の誤送信防止機能では、間違った番号が二回続けて入力されても、それを間違った番号であると判断しないため、そのまま誤送信が行なわれてしまっていた。
【０００４】
本発明は上述の点に鑑みてなされたものでありその目的は、間違ったＦＡＸ番号等のデータ列の入力を防止して誤送信等を防止できる通信端末装置を提供することにある。
【課題を解決するための手段】
【０００５】
上記課題を解決するため本願の請求項１に記載の発明は、所定の送信操作により送信データを送信するデータ送信機能を備えた通信端末装置において、前記送信操作により入力された第１のデータ列とこの第１のデータ列に続けて入力された第２のデータ列とを照合するデータ列照合手段と、前記データ列照合手段による照合で、第２のデータ列が第１のデータ列をその末尾から逆順に配列したものに一致すると判断した場合に、前記第１のデータ列の情報に基づく前記送信データの送信動作を許可する送信動作許可手段と、を備えたことを特徴とする。ここでいうデータ列とは、数字・文字・記号、あるいはそれらを組み合わせた配列からなるものを示す。このデータ列として、例えば、ＦＡＸ番号や電話番号等の数字列、電子メールアドレスの文字・数字・記号の組み合わせからなる配列等がある。
【０００６】
本願の請求項２に記載の発明は、請求項１に記載の通信端末装置において、前記第１のデータ列は相手先ＦＡＸ番号又は電話番号の数字列であり、前記第２のデータ列は、前記第１のデータ列の相手先ＦＡＸ番号又は電話番号の数字列をその末尾から逆順に配列した数字列であり、前記データ列照合手段は、送信動作開始の指示が入力された場合に、前記第１のデータ列と第２のデータ列の照合を行い、前記送信動作許可手段は、前記データ列照合手段による照合で、第２のデータ列が第１のデータ列をその末尾から逆順に配列したものに一致すると判断した場合に、前記相手先ＦＡＸ番号へのファクシミリ送信動作又は前記相手先電話番号へのダイヤル動作を許可することを特徴とする。
【０００７】
本願の請求項３に記載の発明は、請求項１又は２に記載の通信端末装置において、前記送信操作により入力されたデータを登録するデータ登録手段を備え、前記データ列照合手段による照合で、第２のデータ列が第１のデータ列をその末尾から逆順に配列したものに一致すると判断した場合に、前記データ登録手段における前記第１のデータ列の情報の登録動作を許可する登録動作許可手段を備えたことを特徴とする。
【発明の効果】
【０００８】
本願請求項１に記載の発明によれば、通信端末装置において、送信操作により入力された第１のデータ列と第２のデータ列とを照合し、第２のデータ列が第１のデータ列をその末尾から逆順に配列したものに一致すると判断した場合に、第１のデータ列の情報に基づく送信データの送信動作を許可するので、操作者が送信動作で必要なあるデータ列を入力する際に、続けてそのデータ列を末尾から逆順に配列したデータ列を正確に入力しなければ、通信端末装置にその後の送信動作を行なわせることができない。ところが通常、元のデータ列を末尾から逆順に配列したデータ列を入力することは、元のデータ列が記載された資料等を参照しながらでないと困難である。そのため、二回目の入力の際に、操作者にデータ列が記載された資料等を参照させることができるので、間違ったデータ列が二回続けて入力されることを防止できる。したがって、操作者が入力した元のデータ列が正確であることの確認ができるので、間違って入力されたデータ列の情報に基づく誤送信が行なわれることを防止できる。
【０００９】
本願請求項２に記載の発明によれば、第１のデータ列は相手先ＦＡＸ番号又は電話番号の数字列であり、第２のデータ列は、第１のデータ列の相手先ＦＡＸ番号又は電話番号の数字列をその末尾から逆順に配列した数字列であり、送信動作許可手段は、相手先ＦＡＸ番号へのファクシミリ送信動作又は相手先電話番号へのダイヤル動作を許可するので、操作者が相手先ＦＡＸ番号又は相手先電話番号を入力する際に、当該番号が掲載された資料等を参照しながら入力を行うようになる。したがって、間違った番号が入力されやすい相手先ＦＡＸ番号又は電話番号を正確に入力させることができ、誤送信等を防止できる。
【００１０】
本願請求項３に記載の発明によれば、データ列照合手段による照合で、第２のデータ列が第１のデータ列をその末尾から逆順に配列したものに一致すると判断した場合に、第１のデータ列の情報の登録動作を許可する登録動作許可手段を備えたので、入力された第１のデータ列が正確であることを確認した上でこれを登録することが可能となり、間違ったＦＡＸ番号等のデータが登録されてしまうことを防げる。
【発明を実施するための最良の形態】
【００１１】
以下、本発明の実施形態を図面に基づいて詳細に説明する。図１は、本発明の一実施形態に係るファクシミリ装置１の構成を示すブロック図である。このファクシミリ装置１は、コピー機能とファクシミリ機能を兼ね備えたいわゆる複合機であり、同図に示すように主制御部（ＣＰＵ）２、ＮＣＵ（網制御回路： Network Control Unit）３、モデム４、操作部５、表示部６、ＲＯＭ７、ＲＡＭ８、記憶部９、画像読取部１０、画像メモリ１１、ＣＯＤＥＣ（符号化・復号器： Coder and Decoder）１２、画像記録部１３の各部を備え、これら各部が内部バス１４を介して互いに接続されている。以下、各部の構成及び機能について順に説明する。
【００１２】
主制御部２は、ＲＯＭ７に格納されているプログラムに従い、ファクシミリ装置１の各部を統括制御する機能を備えている。また主制御部２は、入力されたＦＡＸ番号の数字列とこのＦＡＸ番号の数字列に続けて入力された他の数字列とを照合する数字列照合手段（データ列照合手段）としての機能と、数字列照合手段による照合で、他の数字列がＦＡＸ番号の数字列を末尾から逆順に配列したものに一致すると判断した場合に、当該ＦＡＸ番号へのファクシミリ送信動作を許可する送信動作許可手段としての機能と、送信操作で入力されたデータを記憶部９の登録用メモリ９ａに格納して登録するデータ登録手段としての機能と、数字列照合手段による照合で、他の数字列がＦＡＸ番号の数字列を末尾から逆順に配列したものに一致すると判断した場合に、データ登録手段にＦＡＸ番号の登録動作を許可する登録動作許可手段としての機能とを備えている。
【００１３】
ＮＣＵ３は、主制御部２により制御されて、通信回線である公衆電話回線網（ＰＳＴＮ）１５との接続を制御するとともに、通信相手先のＦＡＸ番号又は電話番号に応じたダイヤルパルスを送出する機能、及び着信を検出する機能を備えている。
【００１４】
モデム４は、公衆電話回線網１５に接続される通常のファクシミリ通信機能を有するファックスモデムである。このモデム４は、ＮＣＵ３を介して公衆電話回線網１５との間で送受信データを受渡しするために、デジタル信号である送信データをアナログの音声信号に変調する機能や、公衆電話回線網１５からＮＣＵ３を介して受信したアナログの音声信号をデジタル信号の受信データに復調する機能を備えている。
【００１５】
操作部５は、図示は省略するが、このファクシミリ装置１が備える操作パネル上に配設された各種の入力キーを備えている。これら入力キーは、ＦＡＸ番号や電話番号等の数字（＊や♯等の記号を含む）を入力するテンキーや、文字、記号等を入力する文字入力キー、ワンタッチキーや短縮キーなどからなる。また、操作部５には、ファクシミリ送信動作の開始の指示を入力する送信開始キーが設置されている。
【００１６】
表示部６は、ファクシミリ装置１の動作状態等の各種情報を表示するほか、上記の入力キーで入力されたＦＡＸ番号や電話番号の数字列を表示したり、操作者に次の操作を指示するオペレーションなどを表示する。この表示部６には、操作パネルに設置した液晶表示装置（ＬＣＤ）が用いられる。また表示部６には、タッチセンサ式の液晶表示装置を採用してもよい。表示部６がタッチセンサ式の液晶表示装置である場合は、上記の操作部５の入力キー等をこのタッチセンサ式の液晶表示装置に設けることも可能である。
【００１７】
ＲＯＭ７には、主制御部２によって実行されるファクシミリ送受信処理などのファクシミリ装置１の動作に必要な種々のプログラムが格納されている。ＲＡＭ８は、主制御部２のワーキングエリアとして使用されるもので、ＳＲＡＭ、ＤＲＡＭ、ＳＤＲＡＭ等で構成されている。このＲＡＭ８は、プログラムの実行時に発生するデータなど主制御部２による制御時に記憶が必要なデータを一時的に格納する。またＲＡＭ８は、送信操作で入力されたＦＡＸ番号や電話番号等のデータ列に関する情報を一時的に格納する。記憶部９は、ハードディスクドライブ又はフラッシュメモリ等で構成された記録媒体を内蔵する記憶装置である。この記憶部９には、送信操作で入力されたＦＡＸ番号等のデータを登録する際に当該データを格納するための登録用メモリ９ａが設けられている。
【００１８】
画像読取部１０は、ＣＣＤ等を利用したスキャナで原稿を読み取り、白黒２値に変換したドット画像データを出力する。画像メモリ１１は、画像読取部１０で読み取った画像データを符号化し、圧縮状態で記憶する。ＣＯＤＥＣ１２は、読み取った画像データを送信又は記憶するために、ＭＨ、ＭＲ、ＭＭＲ方式等により符号化（エンコード）する。また圧縮符号化された状態で受信した画像データを画像記録部１３で記録するために復号（デコード）する。画像記録部１３は、例えば電子写真方式のプリンタ装置であり、他のファクシミリ装置からファクシミリ通信で受信した受信画像データや、コピー機能により画像読取部１０で読み取られた原稿の画像データを記録紙上に記録する。
【００１９】
次に、図２のフローチャートを参照して、ファクシミリ装置１で、ＦＡＸ番号を入力してファクシミリ送信を行う際の動作を説明する。まず、操作者によって送信する原稿が図示しない原稿台にセットされ、操作部５のテンキー等で相手先ＦＡＸ番号（例えば「０７５１３９２６８４」という数字列からなる番号）が入力される。ファクシミリ装置１は、この相手先ＦＡＸ番号の入力を受け付け（ステップＳＴ１）、入力されたＦＡＸ番号の数字列をＲＡＭ８に一時的に格納する。続いて、相手先ＦＡＸ番号を末尾から逆順に配列した数字列を入力させるオペレーション（例えば、「あて先のＦＡＸ番号を末尾から逆に入力してください。」という表示）を、表示部６に表示する（ステップＳＴ２）。なお、操作者が表示部６を見ながらこの逆順の数字列を入力することを防止するため、この時点では、先に入力されたＦＡＸ番号を表示部６に表示しないことが望ましい。操作者がテンキー等でこの逆順の数字列を入力したら、ファクシミリ装置１は、当該数字列の入力を受け付け（ステップＳＴ３）、入力された数字列をＲＡＭ８に一時的に格納する。
【００２０】
次に、送信開始キーが押されることで、送信開始の指示が入力される（ステップＳＴ４）。この送信開始の指示が入力されたら、先に入力されたＦＡＸ番号の数字列（第１のデータ列）と、後に入力されたＦＡＸ番号の逆順の数字列（第２のデータ列）とを照合する（ステップＳＴ５）。ここでの照合は、後に入力された数字列を逆順に並べ替えた数字列と、先に入力されたＦＡＸ番号の数字列とを比較して、両者が完全に一致するかを照合する。あるいは、先に入力されたＦＡＸ番号の数字列の先頭からの各数字と、後に入力された数字列の末尾からの各数字とを順に照合して、各数字が互いに一致するかを確認しても良い。
【００２１】
この照合の結果、後に入力された数字列の配列が、先に入力されたＦＡＸ番号の数字列を末尾から逆順に配列したもの（上記のＦＡＸ番号の例では「４８６２９３１５７０」）と正確に一致すれば、ファクシミリ送信動作を許可し（ステップＳＴ６）、送信原稿の読み込み動作及び当該ＦＡＸ番号のダイヤル動作を開始する。一方、後に入力された数字列の配列がＦＡＸ番号の数字列を末尾から逆順に配列したものと正確に一致しない場合は、ファクシミリ送信動作を許可せずに（ステップＳＴ７）、当該ファクシミリ送信を不許可とする。このファクシミリ送信の不許可を所定回数（例えば３回）繰り返したか否かを判断し（ステップＳＴ８）、所定回数以内であれば、ステップＳＴ３に戻ってＦＡＸ番号を末尾から逆順に配列した数字列を入力させるオペレーションを表示部６に再度表示する。或いはステップＳＴ１まで戻り、相手先ＦＡＸ番号の入力を再度受け付けることからやり直してもよい。ファクシミリ送信の不許可を所定回数繰り返したら（ステップＳＴ８）、ファクシミリ送信動作を実行せずにそのまま終了する。
【００２２】
このファクシミリ装置１は、上記のように、後に入力された数字列の配列が、先に入力されたＦＡＸ番号の数字列を末尾から逆順に配列したものに正確に一致すると判断できなければ、相手先ＦＡＸ番号への送信動作が実行されない。ところが通常、相手先ＦＡＸ番号を入力した操作者は、ＦＡＸ番号が記載された資料等を参照しながらでなければ、当該ＦＡＸ番号を末尾から逆順に配列した数字列を正しく入力することはできない。したがって、操作者が一回目にＦＡＸ番号を入力した際のうろ覚えで二回目の番号の入力を行なうことを防止できるので、二回とも誤った番号が入力されることが起こりにくくなる。このように、操作者にＦＡＸ番号を入力する際に資料等を参照させて注意深く入力させることができることで、より正確に番号を入力させることが可能となり、間違った相手先ＦＡＸ番号が入力されることを防止できる。
【００２３】
上記ではファクシミリ送信動作を行う場合を説明したが、本実施形態のファクシミリ装置１においては、入力したＦＡＸ番号をワンタッチキーや短縮キー等に割り当てて登録する登録動作を行う際にも、数字列の照合を行うことができる。即ち、ワンタッチキーや短縮キーに登録する際に入力されるＦＡＸ番号等の数字列を第１のデータ列として、当該数字列を末尾から逆順に配列した数字列を第２のデータ列として入力させることで、ＦＡＸ番号等に入力間違いが無いことを確認した上で登録用メモリ９ａに格納することができる。これにより、間違ったＦＡＸ番号等がワンタッチキーや短縮キーに割り当てられることを防止できる。
【００２４】
以上本発明の実施形態を説明したが、本発明は上記実施形態に限定されるものではなく、特許請求の範囲、及び明細書、図面に記載された技術的思想の範囲内において種々の変形が可能である。例えば、上記実施形態では、通信端末装置としてファクシミリ装置を例に取り、第１のデータ列が相手先ＦＡＸ番号の数字列である場合を説明したが、通信端末装置は電話機であってもよい。その場合は、第１のデータ列が電話番号の数字列であり、所定の動作が電話番号のダイヤル動作及び通話動作になる。また通信端末装置は、電子メール送受信機能を備えた通信端末装置でもよく、その場合は、第１のデータ列が電子メールアドレスの全部又は一部を表記する数字・文字・記号及びその組み合わせからなるデータ列であり、当該データ列の情報に基づく送信動作が電子メールの送信動作となる。
【図面の簡単な説明】
【００２５】
【図１】本発明にかかる通信端末装置の一実施形態に係るファクシミリ装置１の構成を示すブロック図である。
【図２】ファクシミリ装置１におけるファクシミリ送信動作の手順を説明するためのフローチャートである。
【符号の説明】
【００２６】
１    ファクシミリ装置（通信端末装置）
２    主制御部（ＣＰＵ）
３    ＮＣＵ（網制御回路）
４    モデム
５    操作部
６    表示部
７    ＲＯＭ
８    ＲＡＭ
９    記憶部
９ａ  登録用メモリ
１０  画像読取部
１１  画像メモリ
１２  ＣＯＤＥＣ
１３  画像記録部
１４  内部バス
１５  公衆電話回線網（ＰＳＴＮ）
【図１】
2007235438.tif 000003
【図２】
2007235438.tif 000004